(57)【要約】      （修正有）【課題】一球のボールによる投球で、投球したボールの速度がランプで表示され、しかも投げたボールが自動的に返球されるようにする。【解決手段】コイルバネ（４）を通した軸（３）の前方にマット（１）を設け、後部にスライド接点（Ａ）を設けて、ラチエット爪（Ｂ）を設けたスライド部（２）を設け、その後方に接点（Ｃ）を設けた絶縁体（６）を設ける。マット（１）の下部にネット（２９）に囲まれるように、ボール受け（Ｈ）が設けられ、その中央に感知具（カ）を設けた入口（１８）を設けた筒（Ｋ）が後部の台座（Ｉ）の溝（Ｌ）に向かって出口（１７）を設けて配置される。ネットガード（３０）の上に表示ランプ（ウ）を設ける。モーター軸（Ｆ）に駆動アーム（２５）を設け、ボールシャベル（１１）を設けた投球アーム（１０）をさし込んで設ける。投球アーム（１０）と台座（Ｉ）の間にスプリング（Ｇ）を設ける。【選択図】図１
2006326262.tif 000002
【特許請求の範囲】
【請求項１】
（イ）コイルバネ（４）を通した軸（３）の前方にマット（１）を設け、後部にスライド接点（Ａ）を設けて、ラチエット爪（Ｂ）を設けたスライド部（２）を設ける。（ロ）スライド部（２）の後方に接点（Ｃ）を設けた絶縁体（６）を設ける。（ハ）ラチェット爪（Ｂ）の下部に一の字状のラチエットギアー（５）を設ける。（ニ）ネットガード（３０）に設けたネット（２９）の中央にマット（１）が突出して設けられる。（ホ）マット（１）の下部にネット（２９）に囲まれるように、ボール受け（Ｈ）が設けられ、そのボール受け（Ｈ）の中央に入口（１８）を設けた筒（Ｋ）が後部の台座（Ｉ）の溝（Ｌ）に向かって出口（１７）を設けて配置される。（ヘ）ネットガード（３０）の上に表示ランプ（ウ）を設ける。（ト）筒（Ｋ）の入口（１８）近くに感知具（カ）を設ける。（チ）モーター軸（Ｆ）に駆動アーム（２５）を設け、ボールシャベル（１１）を設けた投球アーム（１０）をさし込んで設ける。（リ）投球アーム（１０）と台座（Ｉ）の間にスプリング（Ｇ）を設ける。
【発明の詳細な説明】
【技術分野】
【０００１】  本発明はネットガード（３０）に設けたネット（２９）の中央にマット（１）が突出して設けられ、そのマット（１）を設けた軸（３）がコイルバネ（４）を通されて、軸（３）の後部にスライド接点（Ａ）を設けられる。  また、返球時の入口（１８）と出口（１７）を設けた筒（Ｋ）がボール受け（Ｈ）から台座（Ｉ）の溝（Ｌ）へと配置される。  そして、モーター軸（Ｆ）に駆動アーム（２５）を設け、ボールシャベル（１１）を設けた投球アーム（１０）をさし込んで設ける。  そして、投球アーム（１０）と台座（Ｉ）の間にスプリング（Ｇ）を設ける。  以上のことを特徴とする投球用のピッチングマシーンに関するものである。［背景技術］【０００２】  従来のピッチングマシーンはストリング、すなわち、糸を使っていた。［発明の開示］［発明が解決しようとする課題］【０００３】  次ぎのような問題点があった。  従来のピッチングマシーンはストリング、すなわち、左右に垂直に立てた２本のポールに糸を張り、ストリングゾーンを設け、その中に、ボールを幾度も数多く投げ込んでコントロールの調整を計っていたため、数多くのボールを用意しなければならなかった。［課題を解決するための手段］【０００４】（イ）コイルバネ（４）を通した軸（３）の前方にマット（１）を設け、後部にスライド接点（Ａ）を設けて、ラチエット爪（Ｂ）を設けたスライド部（２）を設ける。（ロ）スライド部（２）の後方に接点（Ｃ）を設けた絶縁体（６）を設ける。（ハ）ラチエット爪（Ｂ）の下部に一の字状のラチエットギアー（５）を設ける。（ニ）ネットガード（３０）に設けたネット（２９）の中央にマット（１）が突出して設けられる。（ホ）マット（１）の下部にネット（２９）に囲まれるように、ボール受け（Ｈ）が設けられ、そのボール受け（Ｈ）の中央に入口（１８）を設けた筒（Ｋ）が後部の台座（Ｉ）の溝（Ｌ）に向かって出口（１７）を設けて配置される。（ヘ）ネットガード（３０）の上に表示ランプ（ウ）を設ける。（ト）筒（Ｋ）の入口（１８）近くに感知具（カ）を設ける。（チ）モーター軸（Ｆ）に駆動アーム（２５）を設け、ボールシャベル（１１）を設けた投球アーム（１０）をさし込んで設ける。（リ）投球アーム（１０）と台座（Ｉ）の間にスプリング（Ｇ）を設ける。［発明の効果］【０００５】  本発明のピッチングマシーンは一球のボールによる投球で、投球したボールの速度がランプで表示され、しかも自動的に投げたボールが返球されるため、独自でキヤッチボールを楽しみながら練習が出来る。［発明を実施するための最良の形態］【０００６】（イ）コイルバネ（４）を通した軸（３）の前方にマット（１）を設け、後部にスライド接点（Ａ）を設けて、ラチエット爪（Ｂ）を設けたスライド部（２）を設ける。（ロ）スライド部（２）の後方に接点（Ｃ）を設けた絶縁体（６）を設ける。（ハ）ラチエット爪（Ｂ）の下部に一の字状のラチエットギアー（５）を設ける。（ニ）ネットガード（３０）に設けたネット（２９）の中央にマット（１）が突出して設けられる。（ホ）マット（１）の下部にネット（２９）に囲まれるように、ボール受け（Ｈ）が設けられ、そのボール受け（Ｈ）の中央に入口（１８）を設けた筒（Ｋ）が後部の台座（Ｉ）の溝（Ｌ）に向かって出口（１７）を設けて配置される。（ヘ）ネットガード（３０）の上に表示ランプ（ウ）を設ける。（ト）筒（Ｋ）の入口（１８）近くに感知具（カ）を設ける。（チ）モーター軸（Ｆ）に駆動アーム（２５）を設け、ボールシャベル（１１）を設けた投球アーム（１０）をさし込んで設ける。（リ）投球アーム（１０）と台座（Ｉ）の間にスプリング（Ｇ）を設ける。  本発明は、図２、図３に示すように、コイルバネ（４）を通した軸（３）が空洞筒（７）の前後にある軸穴（１６）、（１６ａ）に通され、軸（３）のピン穴（Ｑ）にピン（Ｐ）をさし込んで、コイルバネ（４）の前方側を止め、もう一方のコイルバネの後部側は、後部の軸穴（１６ａ）の内側に設けられるため、軸（３）はコイルバネ（４）により前方に伸びた状態を保っている。  そして、軸（３）の前方の一端にマット（１）のネジ穴（Ｏ）に、ボルト（Ｎ）で取り付ける。      また、軸（３）の後部に設けたスライド部（２）の内側の一端に絶縁体（６）を挟んで横長のスライド接点（Ａ）をリベット（Ｓ）でリベット穴（Ｔ）にさし込んで設ける。    スライド部（２）の外側一端のラチエット軸（Ｒ）に、ラチエット爪（Ｂ）のラチエット軸穴（Ｕ）をはめ込み、ラチエット軸（Ｒ）のピン穴（Ｑ）にピン（Ｐ）をさし込んで設ける。  そして、フレーム（８）の後部に複数の接点（Ｃ）を設けたＬ字状の絶縁体（６）をリベット（Ｓ）でリベット穴（Ｔ）にさし込んでフレーム（８）に設ける。  空洞筒（７）の下に、フレーム（８）が設けられ、フレーム（８）の側面に設けたラチエット軸（Ｒ）に、構長のラチエットギアー（５）のラチエット軸穴（Ｕ）をはめ込み、ラチエット軸（Ｒ）のピン穴（Ｑ）にピン（Ｐ）をさし込んでラチエットギアー（５）を設け、そして、板バネ（１２）をリベット（Ｓ）でリベット穴（Ｔ）にさし込んでフレーム（８）に設けると、図３、図５に示すように、横長のラチエットギアー（５）を持ち上げた状態となる。  その時、ラチエット爪（Ｂ）はラチエットギアー（５）の上に位置する。  空洞筒（７）、フレーム（８）は左右から脚（Ｅ）を設け、台座（Ｉ）に固定される。    また、図６に示すように、プラス側の電源のコード（エ）は複数ある表示ランプ（ウ）の一端に設け、もう一方側はマイナスのコード（オ）に設けて複数ある接点（Ｃ）に設けられる、スライド接点（Ａ）はマイナス側の電源コード（オ）に設けられて配線される。  なお、配線は図２のように、スライド接点（Ａ）、複数ある接点（Ｃ）のコード穴（Ｖ）にコード（オ）を設ける。  そして、凹み（コ）を設けたボール受け（Ｈ）の中央に設けた筒（Ｋ）の入口（１８）近くに感知具（カ）が設けられ、図４の如く、後部の台座（Ｉ）の溝（Ｌ）に向かって出口（１７）が、勾配のある溝（Ｌ）にそって配置される。  なお、溝（Ｌ）の一端に設けたストッパー軸穴（２１）に、ストッパー軸（２０）を設けた板状のボールストッパー（Ｊ）のストッパー軸（２０）をさし込んで設け、溝（Ｌ）の端にある、くぼみ穴（２３）に押しバネ（２２）を設けるとボールストッパー（Ｊ）を前に押える状態となる。    そして、図４に示すように、台座（Ｉ）のワイヤー取り付け部（１４ア）のワイヤーはめ込み部（Ｗア）にワイヤー（１３）をはめ込み、ボールストッパー（Ｊ）の横一端に設けたワイヤー止めネジ（１９）の通し穴（ア）にワイヤー芯（Ｍ）をさし込んでナット（イ）で取り付ける。  そして、もう一方側のワイヤー（１３）は図２、図３に示すように、ワイヤー取り付け部（１４）のワイヤーはめ込み部（Ｗ）にワイヤー（１３）をはめ込み、ラチエットギアー（５）のワイヤー取り付け穴（Ｘ）に、ワイヤーヘッド（１５）をはめ込んで設ける。  また、図４に示すように、台（Ｄ）を設け、台座（Ｉ）に設けたモーター（９）のモーター軸（Ｆ）の凸部（Ｙ）に駆動突起（２７）を設けた駆動アーム（２５）の凹軸穴（２６）をはめ込み固定し、設ける。  なお、ボールシャベル（１１）を設けた投球アーム（１０）に設けた軸通し穴（３２）をモーター軸（Ｆ）に通して空回り状態にして軸ネジ部（シ）に、ナット（イ）で取り付ける。  なお、、スプリング（Ｇ）は、投球アーム（１０）のスプリング取り付け部（２８）と、台座（Ｉ）のスプリング取り付け部（２８ア）に取り付ける、その時、ボールシャベル（１１）は溝（Ｌ）を掬うようなかたちとなる。  そして、図９に示すように、モーター（９）のプラス側は、プラス側の電源コード（エ）に設けられ通電状態である。  また、モーター（９）のマイナス側の電源コード（オ）の間には、感知具（カ）のセンサースイッチ（キ）をはさんで設けられる。    ただし、図９に示すように、モーター軸（Ｆ）に設けられた点線で示す駆動アーム（２５）の位置（ケ）から一回転して元の点線で示す駆動アーム（２５）の位置にもどる時間までの通電タイマー式スイッチとする。  すなわち、感知具（カ）のセンサースイッチ（キ）がタイマー式スイッチである。  本発明の使用について説明する。  投球前は、図６のように、プラス側の電源コード（エ）が複数ある表示ランプ（ウ）のプラス側一端に接続通電であるが、複数ある接点（Ｃ）は、スライド接点（Ａ）に接触していない状態であるため表示ランプ（ウ）は点灯していない。    図５はその状態の側面図である。  本発明を使用する時は、図９のように、まず最初にボール（Ｚ１）を台座（Ｉ）に設けた溝（Ｌ）の中のボールストッパー（Ｊ）に接した状態で置き、セットしておく。    これでピッチングを楽しむことが出来る  図７、図９に示すように、マット（１）にボール（Ｚ）を投球すると、ボール（Ｚ）の衝撃で、マット（１）が軸（３）とスライド部（２）と共に後方（タ）に移動する、その時、ラチエット爪（Ｂ）は、板バネ（１２）に持ち上げられたラチエットギアー（５）にひっかがって止まり、図８に示すように、マイナス側の電源コード（オ）と接続する横長のスライド接点（Ａ）が、フレーム（８）の後部に設けたＬ字状の絶縁体（６）に複数設けたマイナス側の接点（Ｃ）に接触して、複数ある表示ランプ（ウ）のマイナス側コード（オ）と接続となり、表示ランプ（ウ）が点灯する。  その時、接点（Ｃ１）が接続されてないため、電源コード（オａ）と通じる表示ランプ（ウａ）は点灯せず、３個の表示ランプ（ウ）が点灯することで投球の強さ、すなわち投球の速度を表示ランプ（ウ）の数で確認することが出来る。  そして、コイルバネ（４）は縮んだ状態と���っている。  そして、図９に示すように、マット（１）に当たったボール（Ｚ）は落下して、ボール受け（Ｈ）のボール受け面（コ）の中央が凹みを設けているためボール（Ｚ）は、転がってボール受け（Ｈ）の中央に設けた筒（Ｋ）の入口（１８）に入り、筒（Ｋ）を通り、（チ）の位置で静止している投球アーム（１０）のボールシャベル（１１）の後で留る、その時、ボール（Ｚ）が入口（１８）から感知具（カ）の前を通過した時、感知具（カ）の感知センサー（３１）が感知して働き、モーター（９）のマイナス側電源コード（オ）の点線で示す、切りの状態のセンサースイッチ（キａ）が入り、センサースイッチ（キ）が通電となるためモーター（９）が駆動して、モーター軸（Ｆ）と共に点線で示す駆動アーム（２５）がモーター回転方向（ク）に駆動する。  その時、図９のように、モーター軸（Ｆ）に設けられた点線で示す駆動アーム（２５）の位置（ケ）から半回転して駆動アーム（２５）に設けられた駆動突起（２７）が（チ）の位置に静止する投球アーム（１０）に接してモーター回転方向（ク）に回転させていく、その時、ボール（Ｚ）はボールシャベル（１１）の後ろにぴったり接しているが、投球アーム（１０）と台座（Ｉ）との間に設けたスプリング（Ｇ）が伸びながら図１０のように、投球アーム（１０）のボールシャベル（１１）が最初にセットしたボール（Ｚ１）を掬い上げながら、ボールストッパー（Ｊ）を（サ）の方向に押すと同時に、投球されたボール（Ｚ）がボールストッパー（Ｊ）まで転がって留り、図９に示した最初にセットしたボール（Ｚ１）と同じ条件となる。  （サ）に押されたボールストッパー（Ｊ）は押しバネ（２２）により、再び立ち上がる。  そして、図１０のように、ボールシャベル（１１）がボールストッパー（Ｊ）を押すと、ボールストッパー（Ｊ）に設けたワイヤー（１３）のワイヤー芯（Ｍ）を（サ）の方向に引っぱられ、ワイヤー芯（Ｍ）と連結したラチエットギアー（５）が下に引っぱられ、スライド部（２）に設けたラチエット爪（Ｂ）が外れ、図８のような状態に縮んだコイルバネ（４）が解放され、図１０、図６のように、マット（１）とスライド部（２）を設けた軸（３）と共に前方（ソ）に移動する、その時、スライド部（２）に設けたスライド接点（Ａ）が図８のように接点（Ｃ）に接触していたスライド接点（Ａ）が、図６のように外れて点灯していた表示ランプ（ウ）が消え、元の状態にもどる。    そして、図１０に示すように、投球アーム（１０）と台座（Ｉ）の間に設けられたスプリング（Ｇ）はモーター回転方向（ク）に移動しながら投球アーム（１０イ）のように、スプリング（Ｇ）が引き伸ばされて行き、図１１のように、スプリング（Ｇ）が最大限に引き伸ばされ、一直線状になり、投球アーム（１０）が駆動アーム（２５）の駆動突起（２７）におされて投球アーム（１０）が（ケ）の位置まで来た時、スプリング（Ｇ）の最大の収縮力により、投球アーム（１０）を返球回転方向（ス）に振り下げられる時、ボールシャベル（１１）に掬われていたボール（Ｚ１）が返球方向（セ）に飛んで、返球される、そのボール（Ｚ１）を図１２に示すようにグローブ（２４）で受けて、再び投球を繰り返すことでピッチン���を楽しむことが出来る。  なお、図１１に示すように、駆動アーム（２５）が一回転して（ケ）の位置まで来た時に感知具（カ）のセンサースイッチ（キ）が切れる通電タイマー式スイッチであるため、モーター（９）への通電が無くなり、モーター（９）の駆動は止まる。  その（ケ）の位置から駆動、停止を繰り返す。  本発明は図８のようにマット（１）が受ける投球ボール（Ｚ）の衝撃の強さを軸（３）を通したコイルバネ（４）により、衝撃吸収度として軸（３）の後部の横長のスライド接点（Ａ）を設けたスライド部（２）に伝え、後方（タ）に移動する。  その、衝撃吸収の度合いをスライド接点（Ａ）により、複数ある接点（Ｃ）への接触する数を点灯する表示ランプ（ウ）に現すことで投球したボールの速度がわかる。  そして、大きなネットガード（３０）に張られて設けたネット（２９）により、ピッチング中にボール（Ｚ）が外に飛び出ることを防止する。
【図面の簡単な説明】
【０００７】
【図１】一部をカットして本発明の全貎を示す斜視図
【図２】本発明の要部の分解斜視図
【図３】図２の本発明の部分透視斜視図
【図４】本発明のモーター部の分解斜視図
【図５】図２の本発明の側面図
【図６】図２の本発明の実施例を示す上から見た図
【図７】図２の本発明の実施例を示す側面図
【図８】図２の本発明の実施例を示す上から見た図
【図９】本発明の実施例を示す側面図
【図１０】本発明の実施例を示す側面図
【図１１】本発明の実施例を示す側面図
【図１２】本発明の実施例を示す斜視図
【符号の説明】
【０００８】１  マット      ２  スライド部      ３  軸      ４  コイルバネ５  ラチエットギアー      ６  絶縁体      ７  空洞筒      ８  フレーム９  モーター      １０、１０イ  投球アーム      １１  ボールシャベル１２  板バネ      １３  ワイヤー      １４、１４ア  ワイヤー取り付け部１５  ワイヤーヘッド      １６、１６ａ軸穴      １７  出口１８  入口      １９  ワイヤー止めネジ      ２０  ストッパー軸２１  ストッパー軸穴      ２２  押しバネ      ２３  くぼみ穴２４  グローブ      ２５  駆動アーム      ２６  凹軸穴２７  駆動突起      ２８、２８ア  スプリング取り付け部      ２９  ネット３０  ネットガード      ３１  感知センサー      ３２  軸通し穴Ａ  スライド接点      Ｂ  ラチエット爪      Ｃ、Ｃ１  接点      Ｄ  台Ｅ  脚      Ｆ  モーター軸      Ｇ  スプリング      Ｈ  ボール受けＩ  台座      Ｊ  ボールストッパー      Ｋ  筒      Ｌ  溝Ｍ  ワイヤー芯      Ｎ  ボルト      Ｏ  ネジ穴      Ｐ  ピンＱ  ピン穴      Ｒ  ラチエット軸      Ｓ  リベット      Ｔ  リベット穴Ｕ  ラチエット軸穴      Ｖ  コード穴      Ｗ、Ｗア  ワイヤーはめ込み部Ｘ  ワイヤー取り付け穴      Ｙ  凸部      Ｚ、Ｚ１  ボールア  通し穴      イ  ナット      ウ、ウａ  表示ランプエ  プラスコード      オ、オａ  マイナスコード      カ  感知具キ、キａ  センサースイッチ      ク  モーターの回転方向ケ  駆動アーム（２５）の回転始動、停止位置      コ  ボール受け面サ  ボールストッパー（Ｊ）と、ワイヤー芯（Ｍ）の引ぱり方向シ  軸ネジ      ス  返球回転方向      セ  返球方向ソ  スライド部（２）の前方移動方向タ  スライド部（２）の後方移動方向      チ  投球アーム（１０）の静止位置
【図１】
2006326262.tif 000003
【図２】
2006326262.tif 000004
【図３】
2006326262.tif 000005
【図４】
2006326262.tif 000006
【図５】
2006326262.tif 000007
【図６】
2006326262.tif 000008
【図７】
2006326262.tif 000009
【図８】
2006326262.tif 000010
【図９】
2006326262.tif 000011
【図１０】
2006326262.tif 000012
【図１１】
2006326262.tif 000013
【図１２】
2006326262.tif 000014